(57)【特許請求の範囲】
【請求項１】
多重化信号を逆多重化するための情報を持つ少なくとも１個の情報セクションを有する多重化信号を、逆多重化するデマルチプレクサであって、
前記デマルチプレクサが、
予め決められている記号値に一致する記号値を有する情報セクションを選択する評価手段と、
選択された前記情報セクション内に存在する前記情報に応じて前記多重化信号を逆多重化する処理手段と、
を有し、
前記評価手段が、前記評価手段によって選択された前記情報セクションから、予め決められているバージョン番号とは異なるバージョン番号を更に有する情報セクションを選択するように構成され、前記予め決められているバージョン番号が、以前に受け取られた情報セクションが持つバージョン番号であり、
前記評価手段が、条件付きアクセスメッセージに対応している記号を識別するように構成されていて、かつ前記処理手段が、識別された前記記号が、現在使用されている条件付きアクセスメッセージの記号と異なる場合に、前記現在使用している条件付きアクセスメッセージの値を前記識別された条件付きアクセスメッセージに基づきアップデートさせるように構成されていることを特徴とするデマルチプレクサ。
【請求項２】
請求項１に記載のデマルチプレクサであって、前記多重化信号が、前記多重化信号が持つ１個のプログラムに各々関連している複数の基本ストリームを有し、前記デマルチプレクサが、プログラムと複数の基本ストリームとの対応関係を記憶する手段を有し、かつ前記処理手段が、前記評価手段が前記予め決められているバージョン番号とは異なる前記バージョン番号を更に有する情報セクションを選択する場合に、前記情報セクション内に見出された前記情報に基づいて、前記プログラムと前記基本ストリームとの前記対応関係をアップデートするように構成されていることを特徴とするデマルチプレクサ。
【請求項３】
多重化信号を逆多重化するための情報を持つ少なくとも１個の情報セクションを有する多重化信号を受信する受信機であって、前記受信機が、前記多重化信号を逆多重化する、請求項１又は２のいずれか一項に記載のデマルチプレクサを含む、受信機。
【請求項４】
送信機から受信機に多重化信号を送信する送受信システムであって、当該多重化信号が、前記多重化信号を逆多重化するための情報を持つ少なくとも１個の情報セクションを有し、前記受信機が、請求項３に記載の受信器である、送受信システム。
【請求項５】
多重化信号を逆多重化するための情報を持つ少なくとも１個の情報セクションを有する多重化信号の逆多重化方法であって、予め決められている記号値に一致する記号値を有する情報セクションを選択し、選択された前記情報セクション内に存在する情報に応じて前記多重化信号を逆多重化する、多重化信号の逆多重化方法において、
予め決められているバージョン番号が、以前に受け取られた情報セクションが持つバージョン番号であり、選択された前記情報セクションから、前記予め決められているバージョン番号とは異なるバージョン番号を更に有する情報セクションを選択し、
当該方法が、条件付きアクセスメッセージに対応している記号を識別するように構成されていて、かつ前記方法が、識別された前記記号が、現在使用されている条件付きメッセージの記号と異なる場合に、現在使用されている前記条件付きアクセスメッセージの値を前記識別された条件付きアクセスメッセージに基づきアップデートさせることを特徴とする逆多重化方法。
【請求項６】
請求項５に記載の逆多重化方法であって、前記多重化信号が、前記多重化信号が持つ１個のプログラムに各々関連している複数の基本ストリームを有し、前記方法が、プログラムと複数の基本ストリームとの対応関係を記憶し、かつ前記予め決められているバージョン番号とは異なるバージョン番号を有する情報セクションを更に選択する場合に、前記情報セクション内に見出された前記情報に基づいて前記プログラムと前記基本ストリームとの前記対応関係をアップデートすることを特徴とする逆多重化方法。
【発明の詳細な説明】
技術分野
本発明は、送信機から受信機に多重化信号を送信する送信システムであって、当該多重化信号が前記多重化信号についての情報を持つ少なくとも１個の情報セクションを有し、前記受信機が当該情報セクションを評価する評価手段を有し、当該評価手段が、予め決められている記号値のシーケンスに対応する記号値を有する情報セクションを選択する様に構成されていて、さらに前記受信機がその選択された情報セクション内に存在する情報に応じて前記多重化信号を処理する処理手段を有している送信システムに関する。
本発明は、この送信システムに使用される受信機、送信方法、受信方法、復号化方法にも関する。
背景技術
第一パラグラフで述べた送信システムは、LSI Logic社により刊行物番号ＤＢ14-000007,Draft 30-7-1996として刊行されたMPEG-2,DVB,JSATデマルチプレクサ、予備テクニカルマニュアルの第4-12〜4-15頁の記載により公知である。
現在標準化が進められている、あるいは既に標準化が確立されたデジタル放送システムは、いわゆるMPEG-2移送ストリームに基づいている。このMPEG-2移送ストリームによると、デジタル映像信号とそれに関連する音声信号またはデータ信号のような他の信号とを非常に柔軟性の有る方法で移送することが可能となる。このMPEG-2移送ストリームは、複数のいわゆる基本ストリームを有する188バイトの移送パケットを使用する。当該基本ストリームの其々が、いわゆるパケットID（PID）によって識別される。条件アクセスまたは電子プログラムガイド（EPG）のような機能の要求により、（符号化された）映像ストリーム、音声ストリーム、およびそれらに関連するデータ信号を、この基本ストリームにすることが可能である。
プログラムとそれに対応する基本ストリームとの関係は、複数のテーブルにより規定される。まず第一に、プログラムマップテーブル（PMT）が挙げられるが、これは、移送ストリームの各プログラムとそれに関連する映像および音声信号のPIDとの関係を記憶している。第二に、移送ストリームにより移送されるプログラムの数を記憶しているプログラム関連テーブル（PAT）が挙げられる。ＰＡＴは、其々のプログラムに対しプログラムマップテーブルのエントリを持つ基本ストリームのPIDを与える。最後に、条件アクセステーブル（CAT）が挙げられるが、このテーブルは、使用される条件システムの様々な型と条件アクセスPID,テーブルIDとそれに関連するテーブルIDの組み合わせとの関係を記憶している。
これらのテーブルは、受信機内に記憶され、そして情報セクション内の情報により初期化されかつアップデートされる。この情報セクションも、PIDにより規定される。PATに対するPIDは“00”で、CATに対するPIDは“10”である。PMTに対するPIDは、実際に復号化されるプログラムに対応する位置でＰＡＴ内に記憶される。
番号ｉのプログラムを復号化するには、PMTテーブルを移送ストリームから復元しなければならない。復号器が、プログラム関連テーブルからプログラム番号ｉのPIDを読み出す。当該PIDを用いて、PMTの全ての部分が移送ストリームから読み出され、そしてこれらの部分から完全なPMTが構成される。PMTが構成されると、デマルチプレクサが多重化信号内の基本ストリームを探し出すことが出来る。
多重化信号を送信する間、当該多重化信号が変化するのでPMTをアップデートしなければならないことが良くある。プログラムおよび/または基本ストリームを追加するとこの事が発生する。この変化は、プログラム関連テーブルのエントリのバージョン番号が変化することから判る。バージョン番号が変化したPATエントリの発見を可能とするためには、全ての可能なバージョン番号を区別するために、受信機はフィルタ演算を実行しなければならない。５ビットが、PATのバージョン番号のために確保されているので、32個のバージョン番号が可能である。これは、各PATエントリに対し32回のフィルタ演算を行わなければならない事を意味し、かなりの計算が必要となる。
発明の開示
本発明の送信システムの目的は、計算の必要が少なくてすむ第一パラグラフで述べた送信システムを提供することにある。本発明が特徴とする点は、前記評価手段が、他の予め決められている記号値のシーケンスとは異なる記号値を有する情報セクションを選択するように構成されている点である。
記号値（例えば、バージョン番号）が変化した情報セクションのみを選択（フィルタリング）することにより、情報セクションの情報（例えば、PAT）のアップデートを、全ての信号値（例えば、バージョン番号）についてフィルタ演算を行う必要なしに行うことを検知することが可能となる。これにより、計算処理がかなり減少する。本発明の範囲は、上記の例に限定されず、本発明は、多重化信号の構成の変化が受信機に伝えられなければならない送信システムであれば適用させることが出来る。
本発明の一実施例においては、前記情報セクションが、条件アクセスメッセージに対応している記号のシーケンスを識別するように構成されていて、かつ前記処理手段が、前記ストリングが当該条件メッセージに対応する前のストリングと異なる場合には前記条件アクセスメッセージの値を変化させるように構成されている。条件アクセスシステムの場合、変化する制御語はしばしば規則的な間隔で送信される。受信機においては、受信信号が、次の条件アクセス制御語の期待値を用いてフィルタリングされる。次の条件制御語の期待値を得るために、受信機は、その状態マシンの状態に依存する前記条件アクセス制御語を記憶している状態マシンを有している。その状態マシンが送信開始時に初期化される場合には、最初の条件アクセス制御語が受信され、そして受信機内に記憶されているテーブルによってその状態マシンの対応する状態が見出される。続いて、状態マシンは受信した条件アクセス制御語に対応する状態に変更される。状態マシンを初期化している間に次の条件アクセス制御語が受信されてしまい、状態マシンが正しくない状態になってしまうことも起こり得る。前の値とは異なる値を有する条件アクセス制御語のみをフィルタリングすることにより、状態マシンは完全に正しい状態を保つことが出来、その結果送信システムの信頼性が大きく向上する。
【図面の簡単な説明】
本発明を、図面を参照して以下に説明する。
第１図は、本発明の送信システムを示す。
第２図は、本発明の送信システムに使用されるデマルチプレクサの実施例を示す。
第３図は、第２図のセクションフィルタ30,33,34および37を実施するプログラマブルプロセッサのルーチン流れ図を示す。
第４図は、第１図の送信システム使用される条件アクセスシステムを示す。
第５図は、第５図のセクションフィルタを実施するプログラマブルプロセッサのルーチン流れ図を示す。
発明を実施するための最良の形態
第１図の送信システムにおいては、デジタル映像信号が送信機２の映像符号器４の入力端に加えられる。映像符号器４の出力端と音声符号器６の出力端は、マルチプレクサ８の対応する入力端に接続されている。
マルチプレクサ８の出力端は、送信手段10の入力端に接続されている。送信手段10の出力端は、送信機２の出力端に接続されている。送信機２の出力端は、送信媒体16を介して受信機18に接続されている。
受信機18の入力端は、受信手段12の入力端に接続されている。受信手段12の出力端はデマルチプレクサ14の入力端に接続されている。デマルチプレクサ14の第一出力端は、映像復号器20の入力端に接続されている。デマルチプレクサ14の第二出力端は、音声復号器24の入力端に接続されている。デマルチプレクサ14の第三出力端は、タイミング補正回路22の入力端に接続されている。タイミング補正回路22の第一出力端は、映像復号器20のタイミング入力端に接続されていて、タイミング補正回路の第二出力端は音声復号器24のタイミング入力端に接続されている。映像復号器20と音声復号器24の出力端で、復号化された映像信号と音声信号が得られる。
図において映像信号と音声信号は、MPEG-2標準によって符号化されていると仮定している。さらに、符号化された映像信号と音声信号とはMPEG-2移送ストリームによって多重化されていると仮定した。
映像符号器４において、入力映像信号は，（圧縮された）映像信号を表示する基本ストリームを発生するように符号化されている。階層符号化を用いる場合には、１個の映像信号を２個以上の基本ストリームによって表示させる事が出来る。音声符号器６においては、入力音声信号は１個または複数の基本ストリームを発生させるように符号化される。音声信号は、多国語送信または複数のスピーカに対して音声信号を送信する場合１個または複数の基本ストリームによって表示させることが出来る。符号化された音声信号と映像信号は、マルチプレクサ８によってMPEG-2移送ストリームに多重化される。データ信号、つまりテレテキスト情報や他のプログラムに関係したデータ信号を表示するデータ信号も、MPEG-2移送ストリームに多重化される。
マルチプレクサ８の出力信号は、送信手段10によって通信媒体16を介した通信に適した信号に変換される。送信手段10によって実行される演算には、誤り補正コードを用いてその入力信号を符号化し、かつその符号化された入力信号を適切な変調方法によって変調することが含まれる。このような送信手段の一例は、デジタル映像放送標準（Digital Video Broadcast Standard:DVB）に記載されている。
受信機18においては、通信媒体16から得られた信号が受信手段12内で復調される。復調された信号は，実質上誤りの無い多重化信号を得るために誤り訂正復号器により復号化される。この多重化信号は、情報セクション内の情報を用いてデマルチプレクサ14によって逆多重化される。
デマルチプレクサ14の出力端での符号化されている映像信号は、映像復合器20によって、表示しようとする映像信号に復号される。映像信号に関連するデータ信号、例えば、サブタイトル信号、をデマルチプレクサ14から映像復号器20に送ることも可能である。
デマルチプレクサ14の出力端での符号化されている音声信号は、音声復号器24により復号される。デマルチプレクサ14の出力端でのタイミング参照信号は、映像復号器20と音声復号器24に対するタイミング信号に変換される。タイミング信号は、プログラムの映像信号と音声信号の同期を確実に取るために使用される。さらに、デマルチプレクサ14は、例えば、インターネットへのアクセスを可能とするためにＰＣに供給されるデータ信号を発生させる。
第２図のデマルチプレクサ14においては、入力端はヘッダプロセッサ26の入力端とセレクタ28の入力端とに接続されている。ヘッダプロセッサ26は、セレクタ28の入力端に接続されている。情報セクションを表す信号を送るセレクタ28の第一出力端は、評価手段（ここではセクションフィルタ30、セクションフィルタ34、セクションフィルタ33とセクションフィルタ37）の入力端に接続されている。
セクション番号を示す信号SECT.NOを発生するセクションフィルタ30の第一出力端は、PATテーブルメモリ32の第一入力端に接続されている。PMTへのエントリのPIDを示す信号PMPIDを発生するセクションフィルタ30の第二出力端は、PATテーブルメモリ32の第二入力端に接続されている。選択しなければならないプログラムの数を示す信号PROGRAM NR.は、PMTテーブルメモリ36の第二入力端に与えられる。選択されたプログラムの基本ストリームのPIDを示す信号を発生するPMTテーブルメモリ36の出力端は、処理手段（ここではストリームセレクタ38）の第一入力端に接続されている。
セレクタ28の第二出力端は、ストリームセレクタ38の第二入力端に接続されている。ストリームセレクタ38の出力端で、選択されたプログラムを示す基本ストリームが得られる。
ヘッダプロセッサは、現在の入力パケットが情報セクション（PSIセクションまたはユーザが決めたセクション等）を示しているか否か、または他の種類のパケットを示しているか否かを表す信号を発生させる。情報セクションが存在している場合には、（ヘッダを含む）パケットがフィルタ30,33,34および37に送られる。映像と音声のペイロードを持つＰＥＳパケットが存在する場合には、パケットはストリームセレクタ38に送られる。セクションフィルタ30は、記号値（ここではPID値）が予め決められている、（ここでは０値を表す）記号のシーケンスに等しい全ての情報セクション（PSIパケット）を選択する。これらのパケットからPATテーブルのセクションを示すセクション番号が抽出され、PATテーブルメモリ32に送られる。プログラム番号とそれに対応するプログラムマップPIDもPATテーブルメモリ32に送られる。
PATテーブルがPATテーブルメモリ内に既に存在する場合には、受け取ったプログラム関連セクションをPATテーブルメモリに転送する必要は無い。PATのアップデートが起こる場合のみ、プログラム関連セクションをPATメモリ32に再び送らなければならない。PATのアップデートは、他の予め決められている記号値のシーケンスの新しい値（ここではプログラム関連セクション内に有る新しいバージョン番号）によって判る。このバージョン番号は、常に前のバージョン番号より大きくなっているとは限らない。
先行例の送信システムの場合、PATのアップデート（のセクション）を持つプログラム関連セクションが存在しているか否かを検知するためには、可能なバージョン番号の各々についてフィルタ演算を実行しなければならない。MPEG-2標準では32個のバージョン番号が可能であるので、32回の演算が必要になる。
本発明の送信システムの場合、情報セクション（の一部）は、情報セクション（プログラム関連セクション）内の記号によって示されるバージョン番号が実際に使用されるPATテーブルのバージョン番号と異なる場合に、PATメモリ32に送られる。本発明の送信システムの場合、１回のフィルタ演算のみで、前のバージョン番号と異なるバージョン番号を検知することが出来る。これにより、セクションフィルタの複雑な計算の必要性が大きく減った。
テーブルが完全にアップデートされるまで、プログラム関連セクションがPATメモリ32に送られる。フィールドのカレント・ネクスト・インディケータが、使用されるテーブルが転送されたものの内最も新しいものであることを示すと、PATのアップデートは完全なものになる。PATのアップデートの終了後、現在使用されているテーブルのバージョン番号が受け取った値に調整される。
プログラム関連テーブルメモリ32に記憶されているプログラムのPMTセクションに対応するPIDが、フィルタ34に送られる。セクションフィルタ34は、このPID値を用いて、プログラムストリームからプログラムマップテーブルを構成するのに必要なプログラムマップセクションを選択する。プログラムマップセクションは、基本ストリームについてのプログラムのマッピングに関する情報を有する。このことは、プログラムマップセクションが、移送ストリーム内の各プログラムに対し当該プログラムについての映像、音声およびデータ信号を有する基本ストリームのPID値を有していることを意味する。セクションフィルタ34が選択したプログラムマップセクションは、PMTメモリ36に送られる。PATに関して前述した様に、PATはプログラムの送信中にアップデートする事が出来る。このアップデートは、PMTのアップデートについてのものと同様な発明思想により実行される。
PMTテーブルメモリ36は、プログラム番号を表示する制御信号に応じて当該プログラムに必要な全ての基本ストリームのPID値を発生させる。これらのPID値はストリームセレクタ38内に記憶される。このセレクタは、これらのPID値を用いて移送ストリームから基本ストリームを抽出する。
定期的にアップデートすることが出来る情報を保持するテーブルを使用する同様な考え方は、条件アクセスシステムに関しても、またいわゆるDVB-SI（サービス）情報、およびユーザが基本ストリームを制御出来るいわゆるDSM-CC情報にも使用出来る。条件アクセスセクションのPIDは、“01”と言う固定値を有している。条件アクセスセクションは、使用される条件アクセスシステムの其々に対していわゆるEMMとECM条件アクセスを見出すことを可能とする基本ストリームのPID値を有している。条件アクセスに関連するセクションのPID値は、条件アクセステーブル（CAT:Conditional Access Table）メモリ35内に記憶される。EMMとECM語を除いて、条件アクセスシステムについての付加情報は、それらの条件アクセスセクションで送信する事が出来る。
第３図のフローチャートにおける各命令の意味を次に記す：
0004349533.tif 000002
命令40で、フィルタルーチンが開始し、関連する変数が初期化される。命令42で、現在入手可能な情報セクションのPIDが読み込まれる。命令44で、現在入手可能な情報セクションのヘッダが読み込まれる。
命令46で、本発明のフィルタリング演算が実行される。これは、次の関係式を用いてブール値Fを計算する事により行われる。
0004349533.tif 000003
この関係式の第一番目の部分は、移送ストリームから読み出されたＰＳＩセクションのPIDの比較を示している。セクションフィルタ30に対しては、SF-PIDの値は“00”である。セクションフィルタ34に対しては、フィルタリングがPATテーブルメモリ34内に見出されるSF-PIDの全ての値（これは、様々なプログラムに対応する基本ストリームのPID値を有するセクションのPID値を表示している）について実行される。セクションフィルタ33に対しては、SF-PIDの値は、“01”である。セクションフィルタ37に対しては、SF-PIDの値は、ＤＶＢ標準に記載されている様に各種のDVB-SI情報のPID値に等しい。
関係式の第二番目は、セクションのヘッダ内のPosValueで表示されるあるフィールドが存在しているか否かを検知する点に関する。このフィールドには、例えば、情報（ＰＳＴセクションのヘッダの第一番目のバイトおよび/またはプログラム番号によって示されるテーブルIDを用いることが可能である。このテーブルIDは、同一のPIDを有する情報セクションを有する異なったテーブル間の情報を区別することに使用することが出来る。セクションフィルタ30に対しては、テーブルIDは“00”である。セクションフィルタ34に対しては、テーブルIDは”01”で、セクションフィルタ33に対しては、テーブルID“02”である。テーブルIDのみが選択された場合、PosMaskの値は“FF000000”である。PosValueは、“00XXXXXXXXXXXXXX”（Xはセクションフィルタ30のドントケア値）である。セクションフィルタ33と34に対して、これらの値は、其々、“01XXXXXXXXXXXXXX”と“02XXXXXXXXXXXXXX”である。
関係式の第三番目の部分は、情報セクションのヘッダの所定の部分の変化を検知する点に関している。前述した様に、これにはテーブルのバージョン番号を用いる事が出来る。バージョン番号の場合、NegValueは、現在使用しているテーブルのバージョン番号に等しい。NegMaskの値は、“00000000003E0000”である。
命令48で、現在処理されている情報セクション内の情報が対応するテーブルに送られるべきか否かがチェックされる。このチェックは、Fを諭理値“1”と比較する事により実行される。Fが“0”に等しい場合、セクションの情報はテーブルに送られず、ルーティンは命令56で終了する。Fが諭理値“1”に等しい場合、命令50で関連情報が対応するテーブルに送られる。
命令52で、テーブルのアップデートが終了したか否かがチェックされる。これは、例えば、既に受け取ったセクションの数を数え、その値をセクションヘッダ内のフィールドの最後のセクション番号の値を１増加させることによって検知することが出来る。これらの２個の値が等しい場合には、このことが命令54でテーブルメモリに通報される。これによりカレント・ネクスト・インディケータが“0”から“1”に変化した場合にテーブルの使用が可能となる。さらに、命令54で変数NegValueを最後に受け取ったセクションのバージョン番号に等しくさせる。
第１図の送信システムに使用する事が出来る第４図の条件アクセスシステムの場合、MPEG-2移送ストリームは、デスクランブラ60の入力端とセクションフィルタ62の第一入力端とに与えられる。フィルタ61の出力端はスマートカード64の第一入力端に接続されている。スマートカード64の第二入力端は、デスクランブラ60の第二入力端に接続されている。制御信号は、デスクランブラ60の第二入力端に与えられる。デスクランブラ60の出力端で逆スクランブルされた移送ストリームが得られる。
デスクランブラは、その入力端でスクランブルされた移送ストリームから逆スクランブルされた移送ストリームを抽出するように構成されている。この逆スクラムブリングを可能とするために、スマートカードからデスクランブラに周期的に制御語が送信される。プログラムに権限無くアクセスする困難性を増大させるために、制御語は固定化されずに、移送ストリームから抽出された暗号化された時間と共に変化する制御メッセージからスマートカード64により計算される。フィルタ62は、フィルタリングを行いかつ移送ストリームから制御メッセージを抽出し、かつそれらをスマートカードに送るように構成されている。PMTメモリ36（第２図）にファイルされている条件アクセス記述子から読み出す事が出来るPIDを有する条件アクセスセクションが、制御メッセージを有している。PIDと場合によってはテーブルIDとが記号値の予め決められているシーケンスを構成する。
ＤＡＶＩＣ1.2明細書のパート10に記載されている送信システムの場合、セクションフィルタは次の制御メッセージの期待値を決定する状態マシンを使用する。この状態マシンの問題は、その初期化にある。先行例のシステムの場合、最初に得られる制御メッセージは、移送ストリームから抽出される。状態マシンの対応する状態は、制御メッセージを当該状態に対応させるルックアップテーブルを用いて見出される。続いて、状態マシンは、その見出された状態になる。状態マシンがその正しい状態にセットされる前に次の制御メッセージが既に存在していて、状態マシンの同期が取れなくなると言うことが起こりえる。本発明の場合、状態マシンは全く不要であり、その代わりにフィルタ62が前のものとは異なる全ての制御メッセージを送るように構成されている。この実施例の場合、他のあらかじめ決められている記号値のシーケンスが、制御メッセージの最も新しく受け取られた値によって構成されている。このようにして、フィルタ62は、初期化の問題を起こすことなく状態マシンと同様なフィルタ演算を行う。
第５図のルーチンにおいては、各命令は次のような意味を持つ：
0004349533.tif 000004
第５図のルーチンの命令66で、ルーチンが開始され、変数が初期化される。命令68で、現在の情報セクションのPIDが読み込まれる。命令70で、フィルタリングされるバイトが現在の情報セクションから読み込まれる。命令72で、PID値とフィルタリングされたバイトの値（例えば、テーブルID、テーブルIDイクステンション、ユーザ条件アクセスメッセージ）が対応する参照値と比較される。その結果は、ブールGで得られる。Gの値は次の式から得られる。
0004349533.tif 000005
フィルタバイトは、フィルタリングされるバイトを含む情報セクションの部分に適切なマスクを与えることによって情報セクションから見出される。命令74で、Gの値が評価される。Gが０に等しい場合（CA-PIDに対応するPIDとPosValueに対応するヘッダを有する情報セクションに関し、フィルタリングされるバイトに何の変化も見出されないことを示す）、命令80でルーチンが終了する。終了しない場合には、命令76で、フィルタリングされるバイトの現在の値がフィルタリングされる前のバイトとして後の使用のために記憶される。命令78で、現在のＰＳＩセクションの条件アクセス情報が、以後の処理のためにスマートカードに送られる。
【図１】
0004349533.tif 000006
【図２】
0004349533.tif 000007
【図３】
0004349533.tif 000008
【図４】
0004349533.tif 000009
【図５】
0004349533.tif 000010